(57)【特許請求の範囲】
【請求項１】
器具本体と、この器具本体の前面に位置して前方に向いたチップ搭載面にＬＥＤチップおよび給電端子部を搭載したＬＥＤモジュールと、前記給電端子部に接続されて前記ＬＥＤモジュールを保持する接続部を先端に有し基端が前記器具本体に取付けられて前記接続部が前記給電端子部と着脱可能に可動するモジュール保持部材とを備えた照明器具。
【請求項２】
器具本体と、この器具本体の前面に位置して前方に向いたチップ搭載面にＬＥＤチップおよび給電端子部を搭載したＬＥＤモジュールと、前記ＬＥＤモジュールを覆って前記ＬＥＤチップの光を透過するものであって前記給電端子部に接続される接続部を有し前記器具本体に取付けられて前記ＬＥＤモジュールを支持する外郭部材とを備えた照明器具。
【請求項３】
前記給電端子部はピン形状である請求項１記載の照明器具。
【請求項４】
前記ＬＥＤモジュールは略平板状であり、前記給電端子部は前記モジュールの両面に突出している請求項３記載の照明器具。
【発明の詳細な説明】
【０００１】
【発明の属する技術分野】
この発明は、ＬＥＤ素子を有する照明器具に関するものである。
【０００２】
【従来の技術】
ＬＥＤチップを複数含むＬＥＤモジュールと、このＬＥＤモジュールに電力を供給するＬＥＤ電源供給部と、ＬＥＤチップの前方に配置されるレンズを含むレンズ体を備えたＬＥＤ照明器具が提案された。
【０００３】
【発明が解決しようとする課題】
これまで、ＬＥＤチップは小型であるなどの特徴を生かして、表示用などの補助的な光源としてのみ使用されてきた。高照度を要求されない補助的な光源としての使われ方では長寿命であり、ほぼ器具寿命までＬＥＤの交換の必要は無かった。
【０００４】
しかし、高照度な主光源として使われる場合では、点灯期間により照度が低下するため、交換する必要がある。
【０００５】
ところが、これまでのＬＥＤモジュールの取付けは、半田付けにより直接電線を取付ける手段が主力であった。
【０００６】
また従来のランプの口金と受け金を流用した手段では、ＬＥＤモジュール全体が長大になり、ＬＥＤの長所である、小型・薄型の利点が生かされない。
【０００７】
したがって、この発明の目的は、容易に交換可能で大型化しないＬＥＤモジュールを使った照明器具を提供することである。
【０００８】
【課題を解決するための手段】
請求項１記載の照明器具は、器具本体と、この器具本体の前面に位置して前方に向いたチップ搭載面にＬＥＤチップおよび給電端子部を搭載したＬＥＤモジュールと、前記給電端子部に接続されて前記ＬＥＤモジュールを保持する接続部を先端に有し基端が前記器具本体に取付けられて前記接続部が前記給電端子部と着脱可能に可動するモジュール保持部材とを備えたものである。
【０００９】
請求項１記載の照明器具によれば、電気的接続と機械的接続を給電端子部と接続部とで同じ部位にて同時に行うため、大型化することなくＬＥＤモジュールの着脱操作が容易になる。また給電端子部がチップ搭載面にあるため、ＬＥＤモジュールを例えば器具本体に納めた後でも電気接続部が目で確認でき、電気接続が容易に行える。さらに給電端子部がチップ搭載面にあるため、ＬＥＤモジュールの加工が容易であり、ＬＥＤチップと同時に実装でき、さらに点灯による発熱をモジュール保持部材の導電部材によって放熱することができる。
【００１０】
請求項２記載の照明器具は、器具本体と、この器具本体の前面に位置して前方に向いたチップ搭載面にＬＥＤチップおよび給電端子部を搭載したＬＥＤモジュールと、前記ＬＥＤモジュールを覆って前記ＬＥＤチップの光を透過するものであって前記給電端子部に接続される接続部を有し前記器具本体に取付けられて前記ＬＥＤモジュールを支持する外郭部材とを備えたものである。
【００１１】
請求項２記載の照明器具によれば、請求項１と同様な効果のほか、レンズ等の外郭部材に設けることにより、外郭部材の取付時にＬＥＤモジュールの保持と導通を確保でき、別途にコネクタで接続する必要がない。
【００１２】
請求項３記載の照明器具は、請求項１において、前記給電端子部はピン形状であるものである。
【００１３】
請求項３記載の照明器具によれば、請求項１と同様な効果がある。
【００１４】
請求項４記載の照明器具は、請求項３において、前記ＬＥＤモジュールが略平板状であり、前記給電端子部は前記モジュールの両面に突出しているものである。
【００１５】
請求項４記載の照明器具によれば、請求項３と同様な効果のほか、器具形態による使い分けができる。
【００１６】
【発明の実施の形態】
この発明の第１の実施の形態を図１から図４により説明する。すなわち、この照明器具は、ＬＥＤモジュール１と、モジュール保持部材２を有する。
【００１７】
ＬＥＤモジュール１は、チップ搭載面１ａに複数個のＬＥＤチップ６と給電端子部３を設けている。実施の形態のＬＥＤモジュール１は略平板状で円板形をなしている。また給電端子部３は、ピン形状であり、ＬＥＤモジュール１の略中央部に設けている。この給電端子部３を通して電力が各ＬＥＤチップ６に給電される。
【００１８】
モジュール保持部材２は給電端子部３に接続する接続部４を有してＬＥＤモジュール１を接続部４により保持する。実施の形態では、器具本体５に基端が取付けられた板ばねなどの弾性片７の先端部に接続部４であるコネクタを有し、接続部４が給電端子部３に着脱自在に接続保持されるとともに弾性片７の弾力によりＬＥＤモジュール１を保持する。器具本体５は、前面にＬＥＤモジュール１を収容する内径をもつ周壁８を有し、周壁８に弾性片７の基端を取付けている。器具本体２の後面には小筒部９を設けている。接続部４はリード線１０により器具本体５内を配線し小筒部９より外部に引き出し電源に接続される。
【００１９】
ＬＥＤモジュール１を着脱するときは、図１の想像線のように接続部４を持ち上げて行い、接続状態では弾性片７によりＬＥＤモジュール１を機械的に保持する。この場合、モジュール保持部材２はＬＥＤモジュール１を弾性片７で器具本体２内に押付けて保持してもよいし、器具本体２内で浮かして保持してもよい。
【００２０】
図３および図４はこの照明器具の全体を示し、１１はＬＥＤチップ６の前面を被覆するものでレンズ１２を保持したレンズ体であり、器具本体５に嵌合する。１３はレンズ体１１の周縁を押さえて器具本体５に取付けられるカバーである。
【００２１】
この実施の形態によれば、電気的接続と機械的接続を給電端子部３と接続部４とで同じ部位にて同時に行うため、大型化することなくＬＥＤモジュール１の着脱操作が容易になる。また給電端子部３がチップ搭載面１ａにあるため、ＬＥＤモジュール１を例えば器具本体５に納めた後でも電気接続部が目で確認でき、電気接続が容易に行える。さらに給電端子部３がチップ搭載面１ａにあるため、ＬＥＤモジュール１の加工が容易であり、ＬＥＤチップ６と同時に実装でき、さらに点灯による発熱をモジュール保持部材２の導電部材によって放熱することができる。
【００２２】
また、ＬＥＤモジュール１は照明用の光源として用いられるため、複数のＬＥＤチップ６はある程度の間隔で配置されている。したがって、接続部４をその隙間に配置できるとともに、ＬＥＤモジュール基板の裏面は使用しないので、小型、薄形化できる。
【００２３】
なお、給電端子部３のピンをＬＥＤモジュール１の前面側にのみ突出したが、この発明においては両面に突出してもよい。
【００２４】
図５は第１の実施の形態の変形形態であり、第１の実施の形態において、弾性片を一対の導電性の導電片１２により形成して、電力を供給してもよい。
【００２５】
この発明の第２の実施の形態を図６および図７により説明する。第１の実施の形態と比べて給電端子部３が例えば受け金などの導電性の抱持体により形成し、モジュール保持部材２が一対の弾性の棒状の導電体７ａ、７ｂであり、接続部４は導電体７ａ、７ｂの先端が抱持体に着脱可能に抱持され、これにより電気的機械的に接続され、基端が器具本体５に固定されている。この場合、モジュール保持部材２は絶縁被覆で覆ってもよいが、ＬＥＤは低電圧のため充電部が露出していてもよい。
【００２６】
この実施の形態も、導電体であるモジュール保持部材２を図７の想像線のように、持ち上げてＬＥＤモジュール１をモジュール保持部材２から着脱する。このように、給電端子部３の抱持によって接続部４を保持し、かつモジュール保持部材２の弾性のある導電体７ａ、７ｂによって機械的にＬＥＤモジュール１を保持する。なお、各モジュール保持部材２はリード線１０または器具本体５内に配置した導体を介して電源に接続される。
【００２７】
図８は変形の実施の形態であり、モジュール保持部材２が一対の導電体１５、１６と一対の導電体１５、１６を例えば棒状の絶縁体１４によって一体に形成している。一方の導電体１５をプラス極側、他方の導電体１６をマイナス極側として使用することができる。導電体が別体であるのと比較して部品点数が減り、組み立て作業性がよい。
【００２８】
この発明の第３の実施の形態を図９および図１０により説明する。第１の実施の形態と異なる点は、モジュール保持部材２がＬＥＤモジュール１を覆う外郭部材を接続部４の導通経路としている。すなわちＬＥＤモジュール１の給電端子部３に接触する可動接点１７、１８と器具本体５の導電部１９に接触する接触部２０とを有するモジュール保持部材２をレンズ体１１に設けている。給電端子部３は導電体をＬＥＤモジュール１のチップ搭載面１ａに露出している。器具本体５の導電部１９はリード（図示せず）により電源に接続している。
【００２９】
図９に示すようにＬＥＤモジュール１を器具本体５に嵌め、レンズ体１１をＬＥＤモジュール１に被せ、さらにカバー１３を器具本体５に被せ固定する。これにより、カバー１３およびレンズ体１１を介してモジュール保持部材２がＬＥＤモジュール１を器具本体５内に保持する。この場合、ＬＥＤモジュール１の表面に設けた給電端子部３とレンズ体１に設けた可動接点１７、１８との接触によって、ＬＥＤモジュール１に電力が供給される。導電経路は器具本体５、レンズ体１１、モジュール保持部材２、可動接点１８、１９、給電端子部３、ＬＥＤチップ６となる。
【００３０】
なお、レンズ体１１に端子部を設け電源に接続される電線を直接接続してもよい。
【００３１】
【発明の効果】
請求項１記載の照明器具によれば、電気的接続と機械的接続を給電端子部と接続部とで同じ部位にて同時に行うため、大型化することなくＬＥＤモジュールの着脱操作が容易になる。また給電端子部がチップ搭載面にあるため、ＬＥＤモジュールを例えば器具本体に納めた後でも電気接続部が目で確認でき、電気接続が容易に行える。さらに給電端子部がチップ搭載面にあるため、ＬＥＤモジュールの加工が容易であり、ＬＥＤチップと同時に実装でき、さらに点灯による発熱をモジュール保持部材の導電部材によって放熱することができる。
【００３２】
請求項２記載の照明器具によれば、請求項１と同様な効果のほか、レンズ等の外郭部材に設けることにより、外郭部材の取付時にＬＥＤモジュールの保持と導通を確保でき、別途にコネクタで接続する必要がない。
【００３３】
請求項３記載の照明器具によれば、請求項１と同様な効果がある。
【００３４】
請求項４記載の照明器具によれば、請求項３と同様な効果のほか、器具形態による使い分けができる。
【図面の簡単な説明】
【図１】この発明の第１の実施の形態の断面図である。
【図２】その斜視図である。
【図３】分解斜視図である。
【図４】組み立て状態の斜視図である。
【図５】変形の実施の形態のモジュール保持部材の部分斜視図である。
【図６】第２の実施の形態の斜視図である。
【図７】その断面図である。
【図８】変形の実施の形態のＬＥＤモジュールの斜視図である。
【図９】第３の実施の形態の分解斜視図である。
【図１０】その組み立て状態の断面図である。
【符号の説明】
１    ＬＥＤモジュール
１ａ    チップ搭載面
２    モジュール保持部材
３    給電端子部
４    接続部
５    器具本体
６    ＬＥＤチップ
１１    レンズ体
【図１】
0003928387.tif 000002
【図２】
0003928387.tif 000003
【図３】
0003928387.tif 000004
【図４】
0003928387.tif 000005
【図５】
0003928387.tif 000006
【図６】
0003928387.tif 000007
【図７】
0003928387.tif 000008
【図８】
0003928387.tif 000009
【図９】
0003928387.tif 000010
【図１０】
0003928387.tif 000011